(57)【要約】【課題】システムの規模やコストの増加、並びに、ユーザの快適性の低下を抑制しつつ、省エネを図ることのできる設備制御システムを提供する。【解決手段】各環境計測器群７は、所定のエリアの環境情報を取得し、取得した環境情報を所定のタイミングで設備制御装置２に送信する。各電力計測器８は、各照明器３及び各空調機５の消費電力を計測し、計測した消費電力に関するデータを所定のタイミングで設備制御装置２に送信する。設備制御装置２は、環境計測器群７からの環境情報と、電力計測器８からの消費電力に関するデータと、に基づいて、照明制御情報及び空調制御情報を作成し、それぞれ照明制御装置４及び空調制御装置６に送信する。照明制御装置４及び空調制御装置６は、それぞれ受信した照明制御情報及び空調制御情報に基づいて、それぞれ対応する照明器３及び空調機５の動作を制御する。【選択図】図１
2011058722.tif 000002
【特許請求の範囲】
【請求項１】
設備制御装置と、１又は複数の設備機器と、１又は複数の環境情報取得手段と、１又は複数の電力計測手段と、から構成され、
前記各環境情報取得手段は、所定の領域の環境に関する環境情報を取得し、取得した環境情報を所定のタイミングで前記設備制御装置に送信し、
前記各電力計測手段は、前記各設備機器の消費電力を計測し、計測した消費電力に関するデータを所定のタイミングで前記設備制御装置に送信し、
前記設備制御装置は、前記環境情報取得手段からの環境情報と、前記電力計測手段からの消費電力に関するデータと、に基づいて、対応する設備機器を制御する、
ことを特徴とする設備制御システム。
【請求項２】
前記設備制御装置は、前記設備機器の消費電力が、所定の上限値を超えないように当該設備機器を制御する、
ことを特徴とする請求項１に記載の設備制御システム。
【請求項３】
前記設備制御装置は、全ての前記設備機器の消費電力の合計が、所定の上限値を超えないように前記各設備機器を制御する、
ことを特徴とする請求項１に記載の設備制御システム。
【請求項４】
前記設備制御装置は、前記設備機器の制御に係る所定の条件が成立すると、前記上限値の値を変更する、
ことを特徴とする請求項２又は３に記載の設備制御システム。
【請求項５】
前記設備機器は空調機である、
ことを特徴とする請求項１乃至４の何れか１項に記載の設備制御システム。
【請求項６】
前記設備機器は照明器である、
ことを特徴とする請求項１乃至４の何れか１項に記載の設備制御システム。
【請求項７】
前記環境情報取得手段には、温度センサ、湿度センサ、赤外線センサ及び照度センサの内の少なくとも１つが含まれる、
ことを特徴とする請求項１乃至６の何れか１項に記載の設備制御システム。
【発明の詳細な説明】
【技術分野】
【０００１】
本発明は、ビル等の建物内に複数配置された空調機や照明器等の設備機器を、ユーザの快適性を損なわずに、効率的に制御するための設備制御システムに関する。
【背景技術】
【０００２】
従来より、オフィスビルなどの建物内に配置された複数の空調機や照明器等の設備機器の各々を、その運転エリア（即ち、空調エリア、照明エリア）の環境に応じて制御する技術が種々提案されている（例えば、特許文献１、特許文献２など）。
【０００３】
特許文献１に開示される屋内環境システムでは、複数のＲＦＩＤタグリーダが、屋内の複数のエリアそれぞれに対応するように設けられ、各ＲＦＩＤタグリーダは、各ユーザが携帯するＲＦＩＤタグの情報を読み取る。メインコントローラは、各ＲＦＩＤタグリーダの読み取り結果に基づいて、エリアごとの屋内環境を制御する。
【０００４】
また、特許文献２に開示されるパーソナル空調システムは、各人の座席に配置されたパーソナルコンピュータの稼働状況等に応じて、各人の座席に対応させて配置した空調ユニットの運転、停止等の制御を行う。
【先行技術文献】
【特許文献】
【０００５】
【特許文献１】特開２００８−２８１２３９号公報
【特許文献２】特開２００９−６３１８４号公報
【発明の概要】
【発明が解決しようとする課題】
【０００６】
特許文献１に開示される屋内環境システムでは、各ユーザがＲＦＩＤタグを携帯していることが前提であり、不特定多数の人が利用する共用エリアへの適用は困難である。また、メインコントローラは、各エアコンや各照明器等の消費電力についてのデータを収集しておらず、これらのデータを屋内環境の制御に反映していない。したがって、効果的な省エネの実現は困難である。
【０００７】
また、特許文献２に開示されるパーソナル空調システムでは、各人の座席に対応させて空調ユニットを配置する必要があるため、システムの規模が増大し、コストが嵩んでしまうという問題がある。また、レイアウト変更の際の対応等、メンテナンス面でも課題が残る。また、各人の座席に配置されたパーソナルコンピュータの稼働状況等に応じて制御を行うため、多数の人が利用する共用エリアへの適用が困難である。さらに、各空調ユニットの消費電力を勘案した制御を行っていないため、上記特許文献１と同様、効果的な省エネの実現は困難である。
【０００８】
本発明は、上記問題を解決すべくなされたものであり、システムの規模やコストの増加、並びに、ユーザの快適性の低下を抑制しつつ、省エネを図ることのできる設備制御システムを提供することを目的とする。
【課題を解決するための手段】
【０００９】
上記目的を達成するため、本発明に係る設備制御システムは、
設備制御装置と、１又は複数の設備機器と、１又は複数の環境情報取得手段と、１又は複数の電力計測手段と、から構成され、
前記各環境情報取得手段は、所定の領域の環境に関する環境情報を取得し、取得した環境情報を所定のタイミングで前記設備制御装置に送信し、
前記各電力計測手段は、前記各設備機器の消費電力を計測し、計測した消費電力に関するデータを所定のタイミングで前記設備制御装置に送信し、
前記設備制御装置は、前記環境情報取得手段からの環境情報と、前記電力計測手段からの消費電力に関するデータと、に基づいて、対応する設備機器を制御する、ことを特徴とする。
【発明の効果】
【００１０】
本発明によれば、建物内に配置された設備機器の制御において、システムの規模やコストの増加、並びに、ユーザの快適性の低下を抑制しつつ、省エネの実現が可能となる。
【図面の簡単な説明】
【００１１】
【図１】本発明の実施形態１に係る設備制御システムの全体構成を示す図である。
【図２】空調機の構造を説明するための図である。
【図３】空調機の風向指定について説明するための図である。
【図４】実施形態１乃至３の設備制御装置の構成を示すブロック図である。
【図５】設備制御条件データ、消費電力上限データについて説明するための図である。
【図６】設備制御処理の手順を示すフローチャートである。
【図７】空調制御の一例を説明するための図である。
【図８】本発明の実施形態２に係る設備制御システムの全体構成を示す図である。
【図９】本発明の実施形態３に係る設備制御システムの全体構成を示す図である。
【発明を実施するための形態】
【００１２】
以下、本発明の実施形態について図面を参照して詳細に説明する。
【００１３】
（実施形態１）
図１は、本発明の実施形態１に係る設備制御システム１の全体構成を示す図である。図１において、設備制御システム１は、設備制御装置２と、複数の照明器３（３Ａ，３Ｂ，…）と、照明制御装置４と、複数の空調機５（５Ａ，５Ｂ，…）と、空調制御装置６と、複数の環境計測器群７（７Ａ，７Ｂ，…）と、複数の電力計測器８（８Ａ１，８Ａ２，８Ｂ１，８Ｂ２，…）と、から構成される。
【００１４】
設備制御装置２と、照明制御装置４、空調制御装置６、全ての環境計測器群７の各々、及び、全ての電力計測器８の各々とは、有線又は無線にて通信可能に接続されている。また、照明制御装置４と、全ての照明器３の各々とは、有線又は無線にて通信可能に接続されている。また、空調制御装置６と、全ての空調機５の各々とは、有線又は無線にて通信可能に接続されている。
【００１５】
照明器３は、例えば、蛍光灯やＬＥＤを備え、照明制御装置４からの制御信号に従って、消灯・点灯動作を行ったり、照度や色温度等を変更した照明を行う。図１において、照明器３Ａは、設備制御システム１が導入されているオフィスビル等の建物内における所定エリア（エリアＡ）に配置され、このエリアＡを照明可能領域とする。また、照明器３Ｂは、エリアＢに配置され、このエリアＢを照明可能領域とする。
【００１６】
空調機５は、図２に示すように、天井に埋設される直方体状の本体部５０の下側（即ち、室内側）に略正方形状の前面パネル５１が取り付けられた構成となっている。前面パネル５１には、その周縁部に４つの吹出口５２，…が設けられている。空調制御装置６は、空調機５を制御して、設定した温度に応じた空気を設定した風速で吹出口５２から吹き出させることができる。また、空調制御装置６は、空調機５の任意の吹出口５２を指定して、空気を吹き出させることができ、さらに、図３に示すように、各吹出口５２毎に風向（例えば、水平方向、斜め下方向、下方向等）を指定することができる。図１において、空調機５Ａは、エリアＡに配置され、このエリアＡを空調可能領域とする。また、空調機５Ｂは、エリアＢに配置され、このエリアＢを空調可能領域とする。
【００１７】
環境計測器群７は、複数のセンサ等から構成され、設置されたエリアの環境情報を計測し、その計測結果を所定のタイミングで設備制御装置２に送信する。例えば、環境情報には、温度、湿度、照度、人の在否やエリアを撮影した画像（エリア画像）等がある。温度の計測には、温度センサ、赤外線センサ、サーモパイル、サーミスタ、熱電対等が用いられる。また、湿度の計測には、例えば湿度センサが用いられ、照度の計測には、例えば照度センサが用いられる。また、人の在否は、例えば人感センサが用いられる。また、エリア画像の取得には、カメラ（例えば、ＣＣＤ（Charge Coupled Device）イメージセンサ、ＣＭＯＳ（Complementary Metal Oxide Semiconductor）イメージセンサ等で構成される。）が用いられる。
【００１８】
環境計測器群７は、当該エリア全域における環境情報の計測が可能な場所、例えば、対応するエリアの中央近傍の天井や、壁等に設置される。図１において、環境計測器群７Ａは、エリアＡに配置され、エリアＡ全域における環境情報の計測を行う。また、環境計測器群７Ｂは、エリアＢに配置され、エリアＢ全域における環境情報の計測を行う。
【００１９】
電力計測器８は、商用電源９と各設備機器（照明器３、空調機５）との間の配電線１０上に設置され、各設備機器の消費電力を計測する。各電力計測器８は、計測した各設備機器の消費電力に関するデータを所定のタイミングで設備制御装置２に送信する。
【００２０】
設備制御装置２は、図４に示すように、通信部２０と、入力部２１と、表示部２２と、記憶装置２３と、制御部２４と、を備える。通信部２０は、照明制御装置４、空調制御装置６、各環境計測器群７及び各電力計測器８と無線又は有線によるデータ通信を行う。通信部２０は、各環境計測器群７から送信された環境情報、各電力計測器８から送信された消費電力に関するデータを受信し、受信したこれらのデータを制御部２４に供給する。また、通信部２０は、制御部２４から出力された照明制御情報及び空調制御情報をそれぞれ照明制御装置４及び空調制御装置６に送信する。
【００２１】
入力部２１は、キーボード、キーパッド、タッチパッドやマウス等の入力デバイスから構成され、ユーザからの操作入力を受け付け、受け付けた信号（操作信号）を制御部２４に送出する。表示部２２は、ＣＲＴや液晶モニタ等の表示デバイスにより構成され、制御部２４から供給される文字や画像等のデータを表示する。なお、入力部２１及び表示部２２をタッチパネルで具現化してもよい。
【００２２】
記憶装置２３は、読み書き可能な不揮発性の半導体メモリやハードディスク等から構成され、本システムの制御に係るプログラムや各種のデータテーブル、各環境計測器群７及び各電力計測器８からの受信データ（環境情報、消費電力）を記憶する。また、記憶装置２３は、図５に示すように、設備制御条件データ２３０と、消費電力上限データ２３１とを記憶する。
【００２３】
設備制御条件データ２３０は、照明器３及び空調機５を設置したエリア毎に、季節、時間帯、環境情報（温度、湿度、照度、人の在否等）等に応じて、設備機器の制御条件が予め設定されたデータである。例えば、照明器３ならば、点灯／消灯、照度、色温度などが設定され、空調機５ならば、運転／停止、風速、空調温度などが設定される。
【００２４】
例えば、安全性の観点から、夜間においては、エリア内に人が居なくても、照度を抑えた状態で点灯が維持されるようにする等、設備制御条件データ２３０は、予め様々な状況を勘案して決められる。
【００２５】
消費電力上限データ２３１は、各エリアに配置された各設備機器（照明器３、空調機５）の消費電力上限値と、最大消費電力（最大能力）が設定されたデータである。
【００２６】
制御部２４は、ＣＰＵ（Central Processing Unit）、ＲＯＭ（Read Only Memory）、ＲＡＭ（Random Access Memory）等（何れも図示せず）から構成され、通信部２０、入力部２１、表示部２２、記憶装置２３を制御し、それに付随して、これらとの間でデータの授受を行う。
【００２７】
制御部２４は、環境計測器群７からの環境情報と、電力計測器８からの消費電力に関するデータと、記憶装置２３に記憶されている設備制御条件データ２３０及び消費電力上限データ２３１と、に基づいて、照明制御情報及び空調制御情報を作成し、通信部２０を介して、それぞれ照明制御装置４及び空調制御装置６に送信する。照明制御装置４及び空調制御装置６は、それぞれ受信した照明制御情報及び空調制御情報に基づいて、それぞれ対応する照明器３及び空調機５の動作を制御する。
【００２８】
図６は、設備制御装置２が実行する設備制御処理の手順を示すフローチャートである。設備制御装置２の電源がＯＮされると、制御部２４が起動し、その制御の下、上述した各構成要素によって、以下の処理が繰り返し実行される。先ず、制御部２４は、各環境計測器群７が計測した環境情報を通信部２０を介して取得する（ステップＳ１０１）。本実施形態では、制御部２４は、環境情報の取得処理を定期的に行うが、環境情報の取得タイミングは任意であり、例えば、環境計測器群７の計測結果に変化があった場合をトリガとして、当該環境計測器群７から当該環境情報を取得するようにしてもよい。
【００２９】
また、取得した環境情報がエリア画像である場合、制御部２４は、当該エリア画像を解析して、エリア内に居る人の数や行動状況の取得、人物の特定などを行う。
【００３０】
上記の環境情報の取得に同期して、制御部２４は、各電力計測器８が計測した各照明器３及び各空調機５の消費電力を取得する（ステップＳ１０２）。
【００３１】
制御部２４は、取得した各エリアの環境情報と、取得した各設備機器（照明器３、空調機５）の消費電力と、記憶装置２３に記憶されている設備制御条件データ２３０及び消費電力上限データ２３１と、に基づいて、制御の変更が必要な設備機器及びその制御内容を決定し、かかる制御内容で制御するための照明制御情報及び空調制御情報を作成する（ステップＳ１０３）。
【００３２】
制御部２４は、作成した照明制御情報及び空調制御情報を通信部２０を介して、それぞれ照明制御装置４及び空調制御装置６に送信する（ステップＳ１０４、ステップＳ１０５）。
【００３３】
制御部２４は、上記の照明制御情報及び空調制御情報の送信後、所定時間が経過すると（ステップＳ１０６でＹＥＳ）、ステップＳ１０１からの処理を再度開始する。
【００３４】
照明制御装置４は、設備制御装置２からの照明制御情報を受信すると、当該照明制御情報の内容に基づいて、対応する照明器３を制御する。これにより、例えば、エリアＡに人が居る場合は、照明器３Ａは点灯し、エリアＡに人が居ない場合は、消灯する（あるいは規定の照度まで減光する）。
【００３５】
また、空調制御装置６は、設備制御装置２からの空調制御情報を受信すると、当該空調制御情報の内容に基づいて、対応する空調機５を制御する。これにより、例えば、エリアＢに人が居る場合は、照明器５Ｂは所定温度の空気を所定の風速で吹き出し、エリアＢに人が居ない場合は、運転を停止する。
【００３６】
制御部２４は、基本的には、取得した環境情報に対応する設備制御条件データ２３０の制御条件に従って、各設備機器の制御内容を決定する。しかし、取得した環境情報の内容によっては、さらに細かい制御条件を付加する等、制御条件を調整することもできる。
【００３７】
例えば、取得した環境情報からエリア内に人が居ることを検出した場合、制御部２４は、その位置に応じて、対応する空調機５の対応する吹出口５２の風向を変更するように制御してもよい。
【００３８】
また、空調機５は、起動時に電力を多く消費するため、頻繁に運転／停止を繰り返すと返ってエネルギーロスが増加することもあるので、制御部２４は、エリア内に人が居なくなったことを検出しても、即座に対応する空調機５の運転を停止させる制御を行わず、能力を落とした状態で動作させるように制御してもよい。
【００３９】
また、制御部２４は、エリア内に居る人の数に応じて、各設備機器の能力を切り替えてもよい。例えば、人数が所定数を超える場合には、対応する照明器３の照度を通常よりも上げ、あるいは、空調機５の能力を上げてもよい。
【００４０】
また、制御部２４は、エリア内に居る人の行動状況（移動しているのか、あるいはじっとしているのか）を取得し、その行動状況に応じて、照明器３の照度を制御し、あるいは、空調機５の能力を制御してもよい。この場合、例えば、制御部２４は、エリア内に居る人が移動しているときには、対応する空調機５の空調温度を低めに設定し、一方、じっとしているときには、空調温度を高めに設定した制御を行う。空調機５の能力とは、例えば、圧縮機の回転速度等による冷凍サイクルの能力等が該当する。
【００４１】
制御部２４は、上述のようにして決定した制御内容を、制御対象の設備機器（照明器３、空調機５）の消費電力と、消費電力上限データ２３１における当該設備機器の消費電力上限値とに基づいて調整する。即ち、制御部２４は、当該制御対象の設備機器の消費電力が、消費電力上限データ２３１に設定された消費電力上限値を超えないように、当該設備機器を制御する。
【００４２】
具体的には、現時点で消費電力が消費電力上限値を超えており、今回の制御で消費電力の低下が見込めない場合、又は、現時点では超えていないが、今回の制御により、超えてしまうことが予測できる場合、制御部２４は、当該設備機器の消費電力が消費電力上限値を超えないように、当該制御内容を調整する。この場合、例えば、制御部２４は、照明器３の照度を下げたり、空調機５の空調温度を冷房の場合は上昇させ、暖房の場合は低下させる等の制御を行う。
【００４３】
このように、空調機５の動作能力を低下させる場合、制御部２４は、例えば、当該空調機５の吹出口５２の風向を調整し、当該エリアに居る人に直接風が当たるようにするなどして、当該エリアに居る人の快適性の低下を抑制するための制御を行ってもよい。あるいは、当該エリアの照明器３の明るさや色調を変化させるなどして、視覚的に空調効果が得られるような照明制御を行うことで、当該エリアに居る人の快適性の低下を抑制してもよい。
【００４４】
以上のように、本実施形態に係る設備制御システムによれば、照明又は空調の対象エリア内の環境情報を取得し、かかる環境情報に応じて、適切な空調又は照明制御を行いつつ、さらに、照明器３、空調機５をその消費電力が適切な範囲に収まるように動作制御する。したがって、エリア内に居る人の快適性を損なうことなく、省エネの実現が可能となる。
【００４５】
なお、制御部２４は、上述した他にも、様々な状況を勘案して制御内容を調整することが可能である。例えば、設備制御システム１の空調エリアが、図７に示すように区分けされており、エリアＡ及びエリアＢのみに人が居る場合、制御部２４は、エリアＡ及びＢの空調を補助するため、人が居ないエリアＣ、Ｅ及びＦの空調機５Ｃ、５Ｅ及び５Ｆを動作させてもよい。
【００４６】
一般に、空調を行っているエリアと、空調を行っていないエリアが隣接する場合、空気の対流により、空調を行った空気が、隣り合う空調されていないエリアに流れ込み、空調性能が低下する。このような場合、空調されているエリアの周辺のエリアの空調機５の風向を調整し、送風させることで、空調された空気が空調されていないエリアに流れ込むのを防止することができる。
【００４７】
また、夜間の照明については、人が居るエリアのみ、対応する照明器３を点灯し、その周囲の人の居ないエリアでは、照明をオフにしてしまうと、照度の差により不快感や恐怖を感じることも考えられる。このような場合は、周辺のエリアの照明器３を照度を低下させた状態で点灯させる等して、ユーザの快適性の低下を防止する。
【００４８】
また、本実施形態では、制御部２４は、各設備機器の消費電力が、その消費電力上限値を超えないように、各設備機器を制御していたが、全ての設備機器の消費電力の合計（全消費電力）が、予め消費電力上限データ２３１に設定した上限値（全消費電力上限値）を超えないように制御する仕様にしてもよい。
【００４９】
また、消費電力上限データ２３１に替えて、各設備機器の消費電力量の上限値を設定したデータ（消費電力量上限データ）を記憶装置２３に格納して、保持する仕様にしてもよい。この場合、電力計測器８で計測される消費電力は、電力計測器８あるいは設備制御装置２で積算され、消費電力量に変換される。設備制御装置２は、各設備機器の消費電力量が、消費電力量上限データに設定された対応する消費電力上限値を超えないように、各設備機器を制御する。電力量は時間的要素を持つため、消費電力量上限データに設定される消費電力量上限値は１日単位、あるいは１週間単位など、運用状況に合わせて適宜設定されるようにする。
【００５０】
（実施形態２）
図８は、本発明の実施形態２に係る設備制御システム１００の全体構成を示す図である。図８において、実施形態１に係る設備制御システム１と同様の構成要素については、図１と同一の符号を付し、説明を省略する。本実施形態の設備制御システム１００は、実施形態１の設備制御システム１の構成に、補助電源１１と、電力計測器１２が新たに追加された構成を有している。
【００５１】
補助電源１１は、太陽光発電装置や風力発電装置、燃料電池のような発電装置であり、各設備機器（照明器３、空調機５）の補助電源として用いられる。なお、補助電源１１は、蓄電池や蓄熱層のように、深夜等の電力消費の少ない時間に電荷や熱としてエネルギーの蓄積を行い、電力使用量の高い昼間などに蓄積したエネルギーを使用するような１日の電力使用量の平準化のために用いられる装置であってもよい。
【００５２】
電力計測器１２は、設備制御装置２と有線又は無線にて通信可能に接続され、補助電源１１が給電可能な電力、例えば発電電力を計測する。計測された電力は、設備制御装置２に送信される。
【００５３】
本実施形態の設備制御システム１００の動作について説明する。補助電源１１は商用電源９の補助電源として、配電線１０に接続された各設備機器に対して、補助的に電力を供給する。電力計測器１２は、補助電源１１による給電電力の値を計測し、計測した給電電力の値を設備制御装置２に送信する。設備制御装置２の制御部２４は、電力計測器１２から受信した給電電力の値に基づいて、各設備機器の消費電力上限値や全消費電力上限値の値を変更する。
【００５４】
即ち、制御部２４は、補助電源１１から電力が供給される場合は、各設備機器の消費電力上限値や全消費電力上限値の値を、現状より高い値に設定することができる。これにより各設備機器の消費電力の制限、つまり能力の制限が緩和され、当該エリアの環境により適した空調あるいは照明制御が実現できる。したがって、ユーザの快適性の向上が図れる。
【００５５】
（実施形態３）
図９は、本発明の実施形態３に係る設備制御システム２００の全体構成を示す図である。図９において、実施形態１に係る設備制御システム１及び実施形態２に係る設備制御システム１００と同様の構成要素については、図１及び図８と同一の符号を付し、説明を省略する。
【００５６】
図９において、空調室外機１３と、空調室内機１４Ａと、空調室内機１４Ｂとは、一の空調機を構成する。空調室内機１４Ａは、エリアＡの中央部に配置され、このエリアＡを空調可能領域とする。また、空調室内機１４Ｂは、エリアＢの中央部に配置され、このエリアＢを空調可能領域とする。
【００５７】
また、各照明器３は、空調室内機１４が配置されるエリアをさらに複数（例えば、４つ）に分割したエリア毎に設置される。図９では、エリアＡは、４つの小エリア（Ａ１〜Ａ４）に区画され、各小エリアに対応して、照明器３Ａ１〜３Ａ４が設置されている。エリアＢも、４つの小エリア（Ｂ１〜Ｂ４）に区画され、各小エリアに対応して、照明器３Ｂ１〜３Ｂ４が設置されている。
【００５８】
電力計測器１５は、商用電源９と空調室外機１３との間の配電線１０上に設置され、空調機（即ち、空調室外機１３、空調室内機１４Ａ及び空調室内機１４Ｂ）の消費電力を計測する。電力計測器１５は、計測した空調機の消費電力を所定のタイミングで設備制御装置２に送信する。
【００５９】
電力計測器１６は、商用電源９と各エリアの照明器３との間の配電線１０上に設置され、各エリアの照明器３の消費電力を計測する。電力計測器１６は、計測した各エリアの照明器３の消費電力を所定のタイミングで設備制御装置２に送信する。図９では、電力計測器１６Ａは、エリアＡの照明器３の消費電力（即ち、照明器３Ａ１〜３Ａ４の消費電力の合計）を計測する。また、電力計測器１６Ｂは、エリアＢの照明器３の消費電力（即ち、照明器３Ｂ１〜３Ｂ４の消費電力の合計）を計測する。
【００６０】
本実施形態の設備制御装置２は、上記実施形態１及び２の設備制御装置２と同様にして、各設備機器の制御を行う。即ち、制御部２４は、環境計測器群７が取得した各エリアの環境情報と、電力計測器１５及び１６が計測した空調機及び各エリアの照明器３の消費電力と、記憶装置２３に記憶されている設備制御条件データ２３０及び消費電力上限データ２３１と、に基づいて、制御の変更が必要な設備機器及びその制御内容を決定し、かかる制御内容で制御するための照明制御情報及び空調制御情報を作成し、それぞれ照明制御装置４及び空調制御装置６に送信する。
【００６１】
ここで、消費電力上限データ２３１においては、照明器３の消費電力上限値及び最大消費電力（最大能力）は、エリア単位で設定されているものとする。
【００６２】
また、補助電源１１から電力が供給される場合は、制御部２４は、各設備機器の消費電力上限値あるいは全消費電力上限値の値を、現状より高い値に設定する。
【００６３】
このように、本実施形態の設備制御システム２００は、実施形態１及び２の設備制御システム１及び１００と同等の機能を有し、同等の効果を奏し得る。
【００６４】
なお、本発明は、上記各実施形態に限定されず、本発明の要旨を逸脱しない範囲での種々の変更は勿論可能である。
【００６５】
例えば、上記実施形態では、設備制御装置２の制御部２４は、各設備機器に対して、環境情報及び設備制御条件データ２３０に基づく制御と、消費電力及び消費電力上限データ２３１に基づく制御とを同じタイミングで統合して行っているが、両制御を別個に行っても構わない。
【００６６】
また、制御部２４は、当該エリアの環境情報、季節、曜日、時間帯などに基づいて、消費電力上限データ２３１に設定されている各設備機器の消費電力上限値、あるいは、全消費電力上限値を変更してもよい。
【００６７】
また、環境情報取得手段として、各設備機器が通常備える各種のセンサを用いてもよい。
【産業上の利用可能性】
【００６８】
本発明は、オフィスビルや工場等、様々な人が作業等を行う空間の空調や照明を制御するシステムとして好適に採用され得る。
【符号の説明】
【００６９】
１、１００、２００  設備制御システム
２  設備制御装置
３  照明器
４  照明制御装置
５  空調機
６  空調制御装置
７  環境計測器群
８、１２、１５、１６  電力計測器
９      商用電源
１０    配電線
１１    補助電源
１３    空調室外機
１４    空調室内機
２０    通信部
２１    入力部
２２    表示部
２３    記憶装置
２４    制御部
５０    本体部
５１    前面パネル
５２    吹出口
２３０  設備制御条件データ
２３１  消費電力上限データ
【図１】
2011058722.tif 000003
【図２】
2011058722.tif 000004
【図３】
2011058722.tif 000005
【図４】
2011058722.tif 000006
【図５】
2011058722.tif 000007
【図６】
2011058722.tif 000008
【図７】
2011058722.tif 000009
【図８】
2011058722.tif 000010
【図９】
2011058722.tif 000011